(57)【要約】【目的】  収納容器１を破損させる恐れのない蓋の閉め具を提供することを目的とする。【構成】  釣り針形状の本体指示材１４の支点１４ｃと蓋押え材１５の押え部１５ａが半円形状をなし、もう一方の握り部１５ｂが矩形状をなした平板状の蓋押え材１５の支点１５ｃとを同芯として支点部材１６で結合した回転自在の構造とする。【選択図】図６
2012066872.tif 000002
【特許請求の範囲】
【請求項１】
釣り針形状の本体指示材１４の支点１４ｃと蓋押え材１５の押え部１５ａが半円形状をなし、もう一方の握り部１５ｂが矩形状をなした平板状の蓋押え材１５の支点１５ｃとを同芯として支点部材１６で結合した回転自在の蓋の閉め具１３
【請求項２】
釣り針形状の本体指示材１４´の支点１４ｃ´と蓋押え材１５´の押え部１５ａ´が半円形状をなし、もう一方の握り部１５ｂ´が矩形状をなした平板状の蓋押え材１５´の支点１５ｃ´とを同芯として支点１４ｃ´の穴部に突起１５ｇ´を挿入した回転自在の蓋の閉め具１３´
【発明の詳細な説明】
【発明の詳細な説明】
【産業上の利用分野】
【０００１】  本発明は収納容器の蓋の閉め具に関する、さらに詳しくは、医療用廃棄物を収納する収納容器の蓋の閉め具に関する。
【背景技術】
【０００２】  従来より医療現場において、医師、看護士等によって医療廃棄物は、収納容器に収納されている。【０００３】  収納容器は当初は段ボール製が主に使用されていた。【０００４】  主流であった段ボール製では医療用廃棄物が焼却処理されるまでに、取扱が悪い場合は、容器が破損して医療用廃棄物が容器の外に出て、人体に感染する恐れがある。【０００５】  そのため、近頃は密閉性が良く、破損しにくい、合成樹脂製容器が普及してきた。【０００６】  図１に示す合成樹脂製収納容器１、１´は、本体２、２´と蓋３、３´で構成されている。【０００７】  図２に示すように蓋３、３´の端３ｂ、３ｂ´より曲面に向かう途中の所の内部は、全周にわたって極わずか突起３ｃ、３ｃ´している。【０００８】  図３に示すように、本体２、２´の端部２ｃ、２ｃ´は、外全周にわたって極わずか突起２ｄ、２ｄ´している。【０００９】  蓋３、３´を本体２、２´に取付け、閉めるとき、本体２、２´の突起２ｄ、２ｄ´に蓋３、３´の突起３ｃ、３ｃ´が入り込むので、蓋３、３´が本体２、２´より抜けにくい構造になっている。【００１０】  このような構造なため、医師、看護士等が蓋を手で押えて、閉めるには多くの力を要する。【００１１】  それを解決するため蓋の閉め具が使用されている。【００１２】  図４に示すように従来の蓋の閉め具６を使って、蓋３´を閉めるには、本体２´のＬ状補強板５´の内部に従来の蓋の閉め具６の釣り針状の先端７´を挿入し、人の手で握り部８´を矢印９の方向に回転する力を加える。【００１３】  図５に示すように従来の蓋の閉め具６の押え部１０´が蓋３´の曲面部１１´を押すことにより本体２´の突起２ｄ´に蓋３´の突起３ｃ´が入り込む。【００１４】  この時、本体２´のＬ状補強板５´に矢印１２方向の曲げる力が作用するため、Ｌ状補強板５´を破損させる事態が発生する。
【発明の開示】
【発明が解決しようとする課題】
【００１５】  本発明はかかる従来の技術の課題に鑑みなされたものであって、本体２´を破損させる恐れのない蓋の閉め具を提供することを目的としている。
【課題を解決するための手段】
【００１６】  本発明の蓋の閉め具は、本体指示材の支点と蓋押え材の支点とを同芯として支点部材で結合し、回転自在の構造を特徴する。
【発明の効果】
【００１７】  本発明の蓋の閉め具は、前記の如く構成されてるので、医師、看護士等が、少ない力で確実に蓋を閉めることができ、尚かつ、収納容器を破損させる恐れのない優れた効果が得られる。
【発明を実施するための最良の形態】
【００１８】  以下、添付図面を参照しながら、本発明を実施形態に基づいてするが、本発明は、かかる実施形態のみに限定されるものではない。
【実施形態１】
【００１９】  図６に本発明の実施形態１に係る蓋の閉め具１３の斜視図を示す。
【００２０】  図６に示す蓋の閉め具１３は、本体指示材１４と蓋押え材１５と支点部材１６より構成されている。
【００２１】  図７に示す本体指示材１４は釣り針形状をなした平板で中心線Ｃ−Ｃを軸に対称の形状であり、端部１４ａは、釣り針形状をなし、もう１方の端部１４ｂは支点１４ｃを中心にして、曲面１４ｄを形成する。
【００２２】  蓋押え材１５を挿入する切り欠け部１４ｅは、蓋押え材１５が人の手で軽く回転できるために支障のない溝状の形状をなす。
【００２３】  支点１４ｃは図９に示す支点部材１６が挿入できる丸穴を明ける。
【００２４】  図８に示す蓋押え材１５の押え部１５ａは、半円形状をなし、もう一方の握り部１５ｂは、矩形状をなした平板状であり、半円形状部に支点１５ｃの丸穴を明ける。
【００２５】  半円形状部は支点１５ｃを中心に円弧を描き、１５ｄ部の半径の最小に始まり１５ｅ部の半径を最大にして１５ｆ部で円弧が終わる。
【００２６】  支点１５ｃは、支点部材１６が挿入できる丸穴を明ける。
【００２７】    矩形状をなした平板状の１５ｇ部は、手で握りやすいよう波状の形状にすることもできる。
【００２８】  図６に示すように蓋押え材１５を挿入する本体指示材１４の切り欠け部１４ｅに、蓋押え材１５の押え部１５ａを挿入し、本体指示材１４の支点１４ｃと蓋押え材１５の支点１５ｃを同芯として、支点部材１６を挿入する。
【００２９】  図９に示すように支点部材１６は、軸１６ａと軸止め具１６ｂで構成し、蓋押え材１５が回転した場合、本体指示材１４より外れないよう軸１６ａの両端は軸径より大きい頭の形状１６ｃ、１６ｄとする。
【００３０】  支点部材１６は、軸１６ａはボルト、軸止め具１６ｂはナットを用いるのが一般的であるが、その他の部材でも代用ができる。
【００３１】  蓋押え材１５と本体指示材１４は、人の手で少ない力で回転できるような勘合にする。
【００３２】  蓋押え材１５の支点１５ｃの穴径、本体指示材１４の支点１４ｃの穴径は支点部材１６の軸１６ａより大きくする。
【００３３】  図１０は蓋の閉め具１３を用いて本体２に蓋３を装着する状態を示す。
【００３４】  図１０は本体２のＬ状補強板５に本体指示材１４の端部１４ａを挿入して、蓋押え材１５の押え部１５ａが蓋３を押える直前の状態を示す。
【００３５】  図１１に示すように矢印１７方向に回転する力を加えると蓋押え材１５の押え部１５ａが蓋３の曲面部１１を押すので、本体２の突起２ｄに蓋３の突起３ｃが入り込むことにより蓋３の装着が完了する。
【実施形態２】
【００３６】  図１２に本発明の実施形態２に係る蓋の閉め具１３´の斜視図を示す。
【００３７】  実施形態２は、実施形態１を改変してなるものであって、図６に示す支点部１４ｃ、１５ｃ、支点部材１６以外は全く同一に構成されている。
【００３８】  図１３に示す本体指示材１４´の支点１４ｃ´は、丸穴を内側１８に向かってハの字状に切り欠いて溝形状１９にする。
【００３９】  図１４に示す蓋押え材１５´の支点１５ｃ´は、図８に示す支点１５ｃの丸穴ではなく円柱の突起１５ｇ´を中心線Ｄ−Ｄを軸に対称に取り付ける形状とする。
【００４０】  図１２に示すように本体指示材１４´の支点１４ｃ´と蓋押え材１５´の突起１５ｇ´を同芯として本体指示材１４´の曲面１４ｄ´部を外側に開くように力を加えて広げる。
【００４１】  曲面１４ｄ´部を外側に広げた状態で、支点１４ｃ´の穴部に突起１５ｇ´を挿入することにより蓋の閉め具１３´の組立てが完了する。
【００４２】  突起１５ｇ´を採用することで図６に示す支点部材が不要になる。
【００４３】  蓋押え材１５´と本体指示材１４´は、人の手で少ない力で回転できるような勘合にする。
【発明の効果】
【００４４】  図１１に示すように蓋３の装着が進行するとき、本体２のＬ状補強板５を全く破損させる力は発生しないので、本体２、Ｌ状補強板５及び蓋３の破損事故を防ぐことができる。
【図面の簡単な説明】
【図１】本発明の実施形態の収納容器の斜視図である。
【図２】図１の蓋のＡ−Ａ断面の一部を示す。
【図３】図１の本体のＡ−Ａ断面の一部を示す。
【図４】従来品の蓋の閉め具を本体に装着した状態を示す概略図である。
【図５】従来品の蓋の閉め具で蓋を本体に装着が完了した状態を示す概略図である。
【図６】本発明の実施形態１の蓋の閉め具の斜視図である。
【図７】本発明の実施形態１の蓋の閉め具の本体指示材の斜視図である。
【図８】本発明の実施形態１の蓋の閉め具の蓋押え材の斜視図である
【図９】［図６］のＢ−Ｂ断面を示す。
【図１０】本発明の実施形態１の蓋の閉め具を本体に装着した状態を示す概略図である。
【図１１】本発明の実施形態１の蓋の閉め具で蓋を本体に装着が完了した状態を示す概略図である。
【図１２】本発明の実施形態２の蓋の閉め具の斜視図である。
【図１３】本発明の実施形態２の蓋の閉め具の本体指示材の斜視図である。
【図１４】本発明の実施形態２の蓋の閉め具の蓋押え材の斜視図である
【符号の説明】１      収納容器
２      収納容器の本体
３      収納容器の蓋
６      従来の蓋の閉め具
１３    本発明の実施形態１の蓋の閉め具
１３´  本発明の実施形態２の蓋の閉め具
【図１】
2012066872.tif 000003
【図２】
2012066872.tif 000004
【図３】
2012066872.tif 000005
【図４】
2012066872.tif 000006
【図５】
2012066872.tif 000007
【図６】
2012066872.tif 000008
【図７】
2012066872.tif 000009
【図８】
2012066872.tif 000010
【図９】
2012066872.tif 000011
【図１０】
2012066872.tif 000012
【図１１】
2012066872.tif 000013
【図１２】
2012066872.tif 000014
【図１３】
2012066872.tif 000015
【図１４】
2012066872.tif 000016